(57)【特許請求の範囲】
【請求項１】
長手方向を左右方向に向けた状態で上下方向に間隔をおいて配置された複数の熱交換管と、隣り合う熱交換管どうしの間に配置されたフィンと、長手方向を上下方向に向けた状態で配置されかつ熱交換管の両端部が接続された複数のヘッダタンクとを備え、左右いずれか一端部側に、上側から連続して並んだ複数の熱交換管が接続された第１ヘッダタンクと、下側から連続して並んだ残りの熱交換管が接続された第２ヘッダタンクとが、第２ヘッダタンクが第１ヘッダタンクよりも左右方向外側に位置するように設けられ、第２ヘッダタンクの下端が第１ヘッダタンクの下端よりも下方に位置するとともに同上端が第１ヘッダタンクの下端よりも上方に位置しており、第１ヘッダタンクおよび第２ヘッダタンクが、それぞれ両端が開口した筒状体と、筒状体の上下両端開口を閉鎖する閉鎖部材とを有し、第２ヘッダタンクにおける第１ヘッダタンクの下端よりも上方に突出した部分と第１ヘッダタンクとの間にスペーサが配置され、スペーサが、第１および第２ヘッダタンクに接合されているコンデンサにおいて、
スペーサが、第１ヘッダタンクと第２ヘッダタンクとの間に位置しかつ両ヘッダタンクの筒状体の外周面に接合された本体部分と、本体部分に連結部を介して一体に設けられ、かつ第１ヘッダタンクの筒状体内に嵌め入れられて当該筒状体の下端開口を閉鎖する板状の閉鎖部材とを備えており、スペーサの閉鎖部材が筒状体内に嵌め入れられた状態で、スペーサの閉鎖部材および連結部が第１ヘッダタンクの筒状体に接合されているコンデンサ。
【請求項２】
第１ヘッダタンクの筒状体に、その下端から上方に向かってスペーサの連結部を嵌め入れる切り欠きが形成され、スペーサの閉鎖部材が筒状体の下端開口内に嵌め入れられるとともに連結部が切り欠き内に嵌め入れられた状態で、スペーサの閉鎖部材および連結部が第１ヘッダタンクの筒状体に接合されている請求項１記載のコンデンサ。
【請求項３】
スペーサの本体部分が、第１ヘッダタンクの筒状体の外周面に面接触しかつ第１ヘッダタンクの筒状体に接合された第１接合面と、第２ヘッダタンクの筒状体の外周面に面接触しかつ第２ヘッダタンクの筒状体に接合された第２接合面とを有し、スペーサの本体部分に、第１接合面と第２接合面との間を通じさせる連通路が貫通状に形成されており、第１ヘッダタンクの筒状体におけるスペーサの本体部分の第１接合面が接合された部分に、第１ヘッダタンク内を外部に通じさせる連通口が形成され、第２ヘッダタンクの筒状体におけるスペーサの本体部分の第２接合面が接合された部分に、第２ヘッダタンク内を外部に通じさせる連通口が形成されており、スペーサの本体部分の連通路の一端開口が第１ヘッダタンクの筒状体の連通口に通じるとともに、同他端開口が第２ヘッダタンクの筒状体の連通口に通じている請求項１または２記載のコンデンサ。
【請求項４】
凝縮部および過冷却部が、前者が上側に位置するように設けられており、第１ヘッダタンクに凝縮部の全熱交換管が接続され、第２ヘッダタンクにおける第１ヘッダタンクの下端よりも下方に位置する部分に過冷却部の全熱交換管が接続され、第２ヘッダタンクが受液部を兼ねており、第１ヘッダタンクに凝縮部出口ヘッダ部が設けられ、第２ヘッダタンクにおける第１ヘッダタンクの下端よりも下方に位置する部分に過冷却部入口ヘッダ部が設けられ、第１ヘッダタンクの筒状体の連通口が、凝縮部出口ヘッダ部内を外部に通じさせるようになっているとともに、第２ヘッダタンクの筒状体の連通口が、第２ヘッダタンク内における過冷却部入口ヘッダ部よりも上方の部分を外部に通じさせるようになっている請求項３記載のコンデンサ。
【発明の詳細な説明】
【技術分野】
【０００１】
この発明は、たとえば自動車に搭載される冷凍サイクルであるカーエアコンに好適に用いられるコンデンサに関する。
【０００２】
この明細書および特許請求の範囲において、図１の上下、左右を上下、左右というものとする。
【背景技術】
【０００３】
たとえばカーエアコンのコンデンサとして、本出願人は、先に、凝縮部および過冷却部が、前者が上側に位置するように設けられており、長手方向を左右方向に向けた状態で上下方向に間隔をおいて配置された複数の熱交換管と、隣り合う熱交換管どうしの間に配置され、かつ通風方向にのびる波頂部、通風方向にのびる波底部、および波頂部と波底部とを連結する連結部からなるコルゲートフィンと、長手方向を上下方向に向けた状態で配置されかつ熱交換管の両端部が接続された複数のヘッダタンクとを備え、左右いずれか一端部側に、上側から連続して並んだ複数の熱交換管が接続された第１ヘッダタンクと、下側から連続して並んだ残りの熱交換管が接続された第２ヘッダタンクとが、第２ヘッダタンクが第１ヘッダタンクよりも左右方向外側に位置するように設けられ、第１ヘッダタンクおよび第２ヘッダタンクが、それぞれ両端が開口した筒状体と、筒状体の上下両端開口を閉鎖する閉鎖部材とを有し、第２ヘッダタンクの下端が第１ヘッダタンクの下端よりも下方に位置するとともに同上端が第１ヘッダタンクの下端よりも上方に位置しており、第２ヘッダタンクにおける第１ヘッダタンクの下端よりも上方に突出した部分と第１ヘッダタンクとの間にスペーサが配置されて第１および第２ヘッダタンクに接合され、第１ヘッダタンクに凝縮部の全熱交換管が接続され、第２ヘッダタンクにおける第１ヘッダタンクの下端よりも下方に位置する部分に過冷却部の全熱交換管が接続されているコンデンサを提案した（特許文献１参照）。
【０００４】
ところで、特許文献１記載のコンデンサにおいては、第１ヘッダタンクの筒状体の下端開口を閉鎖する閉鎖部材は、筒状体の下端部に嵌め被せられて筒状体にろう付されている。
【０００５】
しかしながら、隣り合う熱交換管どうしの間隔が小さくなってフィン高さが低くなった場合、第１ヘッダタンクの下端閉鎖部材と、過冷却部の上端の熱交換管との間のクリアランスを十分に確保することができなくなる。したがって、第１ヘッダタンクの下端閉鎖部材と、過冷却部の上端の熱交換管とが干渉し、コンデンサの組み立て作業が面倒になるおそれがある。
【先行技術文献】
【特許文献】
【０００６】
【特許文献１】特開２０１２−２４７１４８号公報
【発明の概要】
【発明が解決しようとする課題】
【０００７】
この発明の目的は、上記問題を解決し、隣り合う熱交換管どうしの間隔が小さくなってフィン高さが低くなった場合においても、第１ヘッダタンクの下端閉鎖部材と、第２ヘッダタンクに接続された上端の熱交換管との干渉を防止しうるコンデンサを提供することにある。
【課題を解決するための手段】
【０００８】
本発明は、上記目的を達成するために以下の態様からなる。
【０００９】
1)長手方向を左右方向に向けた状態で上下方向に間隔をおいて配置された複数の熱交換管と、隣り合う熱交換管どうしの間に配置されたフィンと、長手方向を上下方向に向けた状態で配置されかつ熱交換管の両端部が接続された複数のヘッダタンクとを備え、左右いずれか一端部側に、上側から連続して並んだ複数の熱交換管が接続された第１ヘッダタンクと、下側から連続して並んだ残りの熱交換管が接続された第２ヘッダタンクとが、第２ヘッダタンクが第１ヘッダタンクよりも左右方向外側に位置するように設けられ、第２ヘッダタンクの下端が第１ヘッダタンクの下端よりも下方に位置するとともに同上端が第１ヘッダタンクの下端よりも上方に位置しており、第１ヘッダタンクおよび第２ヘッダタンクが、それぞれ両端が開口した筒状体と、筒状体の上下両端開口を閉鎖する閉鎖部材とを有し、第２ヘッダタンクにおける第１ヘッダタンクの下端よりも上方に突出した部分と第１ヘッダタンクとの間にスペーサが配置され、スペーサが、第１および第２ヘッダタンクに接合されているコンデンサにおいて、
スペーサが、第１ヘッダタンクと第２ヘッダタンクとの間に位置しかつ両ヘッダタンクの筒状体の外周面に接合された本体部分と、本体部分に連結部を介して一体に設けられ、かつ第１ヘッダタンクの筒状体内に嵌め入れられて当該筒状体の下端開口を閉鎖する板状の閉鎖部材とを備えており、スペーサの閉鎖部材が筒状体内に嵌め入れられた状態で、スペーサの閉鎖部材および連結部が第１ヘッダタンクの筒状体に接合されているコンデンサ。
【００１０】
2)第１ヘッダタンクの筒状体に、その下端から上方に向かってスペーサの連結部を嵌め入れる切り欠きが形成され、スペーサの閉鎖部材が筒状体の下端開口内に嵌め入れられるとともに連結部が切り欠き内に嵌め入れられた状態で、スペーサの閉鎖部材および連結部が第１ヘッダタンクの筒状体に接合されている上記1)記載のコンデンサ。
【００１１】
3)スペーサの本体部分が、第１ヘッダタンクの筒状体の外周面に面接触しかつ第１ヘッダタンクの筒状体に接合された第１接合面と、第２ヘッダタンクの筒状体の外周面に面接触しかつ第２ヘッダタンクの筒状体に接合された第２接合面とを有し、スペーサの本体部分に、第１接合面と第２接合面との間を通じさせる連通路が貫通状に形成されており、第１ヘッダタンクの筒状体におけるスペーサの本体部分の第１接合面が接合された部分に、第１ヘッダタンク内を外部に通じさせる連通口が形成され、第２ヘッダタンクの筒状体におけるスペーサの本体部分の第２接合面が接合された部分に、第２ヘッダタンク内を外部に通じさせる連通口が形成されており、スペーサの本体部分の連通路の一端開口が第１ヘッダタンクの筒状体の連通口に通じるとともに、同他端開口が第２ヘッダタンクの筒状体の連通口に通じている上記1)または2)記載のコンデンサ。
【００１２】
4)凝縮部および過冷却部が、前者が上側に位置するように設けられており、第１ヘッダタンクに凝縮部の全熱交換管が接続され、第２ヘッダタンクにおける第１ヘッダタンクの下端よりも下方に位置する部分に過冷却部の全熱交換管が接続され、第２ヘッダタンクが受液部を兼ねており、第１ヘッダタンクに凝縮部出口ヘッダ部が設けられ、第２ヘッダタンクにおける第１ヘッダタンクの下端よりも下方に位置する部分に過冷却部入口ヘッダ部が設けられ、第１ヘッダタンクの筒状体の連通口が、凝縮部出口ヘッダ部内を外部に通じさせるようになっているとともに、第２ヘッダタンクの筒状体の連通口が、第２ヘッダタンク内における過冷却部入口ヘッダ部よりも上方の部分を外部に通じさせるようになっている上記3)記載のコンデンサ。
【発明の効果】
【００１３】
上記1)〜4)のコンデンサによれば、第２ヘッダタンクにおける第１ヘッダタンクの下端よりも上方に突出した部分と第１ヘッダタンクとの間に配置されたスペーサが、第１ヘッダタンクと第２ヘッダタンクとの間に位置しかつ両ヘッダタンクの筒状体の外周面に接合された本体部分と、本体部分に連結部を介して一体に設けられ、かつ第１ヘッダタンクの筒状体内に嵌め入れられて当該筒状体の下端開口を閉鎖する板状の閉鎖部材とを備えており、スペーサの閉鎖部材が筒状体内に嵌め入れられた状態で、スペーサの閉鎖部材および連結部が第１ヘッダタンクの筒状体に接合されているので、隣り合う熱交換管どうしの間隔が小さくなってフィン高さが低くなった場合においても、第１ヘッダタンクの下端閉鎖部材と、第２ヘッダタンクに接続された上端の熱交換管との間に比較的大きなクリアランスを形成することができ、下端閉鎖部材と第２ヘッダタンクに接続された上端の熱交換管との干渉を防止することができる。したがって、第１ヘッダタンクの下端閉鎖部材がスペーサと一体に設けられていることと相俟って、コンデンサの組み立て作業を容易に行うことができる。
【００１４】
しかも、第１ヘッダタンクの下端閉鎖部材と、第２ヘッダタンクに接続された上端の熱交換管との間に比較的大きなクリアランスを形成することができるので、当該クリアランスに、第２ヘッダタンクに接続された上端の熱交換管に対する犠牲腐食機能を有する防食部材が配置することが可能になり、当該熱交換管への孔食の発生、および当該孔食に起因する冷媒の洩れが防止される。
【図面の簡単な説明】
【００１５】
【図１】この発明のコンデンサの全体構成を示す正面図である。
【図２】図１のコンデンサの要部の構成を示す部分拡大垂直断面図である。
【図３】図１のコンデンサの要部の構成を示す部分拡大斜視図である。
【図４】図１のコンデンサに用いられるスペーサの斜視図である。
【発明を実施するための形態】
【００１６】
以下、この発明の実施形態を、図面を参照して説明する。
【００１７】
また、以下の説明において、「アルミニウム」という用語には、純アルミニウムの他にアルミニウム合金を含むものとする。
【００１８】
図１はこの発明のコンデンサの全体構成を示し、図２および図３は図１のコンデンサの要部の構成を示し、図４は図１のコンデンサに用いられるスペーサを示す。
【００１９】
図１において、コンデンサ(1)には、凝縮部(1A)および過冷却部(1B)が、前者が上側に位置するように設けられており、幅方向を通風方向(図１の表裏方向)に向けるとともに長手方向を左右方向に向けた状態で上下方向に間隔をおいて配置された複数のアルミニウム製扁平状熱交換管(2)と、長手方向を上下方向に向けて配置されるとともに熱交換管(2)の左右両端部がろう付により接続された３つのアルミニウム製ヘッダタンク(3)(4)(5)と、隣り合う熱交換管(2)どうしの間および上下両端の外側に配置されて熱交換管(2)にろう付されたアルミニウム製コルゲートフィン(6)と、上下両端のコルゲートフィン(6)の外側に配置されてコルゲートフィン(6)にろう付されたアルミニウム製サイドプレート(7)とを備えている。
【００２０】
コンデンサ(1)の凝縮部(1A)および過冷却部(1B)には、それぞれ上下に連続して並んだ複数の熱交換管(2)からなる少なくとも１つ、ここでは１つの熱交換パス(P1)(P2)が設けられている。各熱交換パス(P1)(P2)を構成する全ての熱交換管(2)の冷媒流れ方向が同一となっているとともに、隣り合う２つの熱交換パス(P1)(P2)の熱交換管(2)の冷媒流れ方向が異なっている。ここで、凝縮部(1A)の熱交換パス(P1)を第１熱交換パスといい、過冷却部(1B)の熱交換パス(P2)を第２熱交換パスというものとする。第２熱交換パス(P2)の熱交換管(2)の長さは第１熱交換パス(P1)の熱交換管(2)の長さよりも長くなっている。
【００２１】
コンデンサ(1)の右端側には、凝縮部(1A)に設けられた第１熱交換パス(P1)の全熱交換管(2)の右端部がろう付により接続された第１ヘッダタンク(3)と、過冷却部(1B)に設けられた第２熱交換パス(P2)の全熱交換管(2)の右端部がろう付により接続された第２ヘッダタンク(4)とが、第２ヘッダタンク(4)が左右方向外側(右側)に位置するように別個に設けられている。第２ヘッダタンク(4)の上端は第１ヘッダタンク(3)の下端よりも上方、ここでは第１ヘッダタンク(3)の上端とほぼ同一高さ位置にある。また、第２ヘッダタンク(4)の下端は第１ヘッダタンク(3)の下端よりも下方に位置しており、第２ヘッダタンク(4)における第１ヘッダタンク(3)の下端よりも下方に位置する部分に、第２熱交換パス(P2)を構成する熱交換管(2)がろう付により接続されている。第２ヘッダタンク(4)は、凝縮部(1A)で凝縮した液相主体冷媒を貯留するとともに液相主体冷媒を過冷却部(1B)に供給する受液部の機能を有している。
【００２２】
コンデンサ(1)の左端部側には、第１および第２熱交換パス(P1)(P2)を構成するすべての熱交換管(2)が接続される第３ヘッダタンク(5)が配置されている。第３ヘッダタンク(5)の横断面形状は第２ヘッダタンク(4)と同一である。第３ヘッダタンク(5)内は、第１熱交換パス(P1)と第２熱交換パス(P2)との間の高さ位置に設けられたアルミニウム製仕切部材(8)により上下２つの区画(5a)(5b)に分割されている。第３ヘッダタンク(5)の上側区画(5a)に冷媒入口(図示略)が形成されるとともに、下側区画(5b)に冷媒出口(図示略)が形成されており、第３ヘッダタンク(5)に、冷媒入口に通じる冷媒入口部材(9)および冷媒出口に通じる冷媒出口部材(11)がろう付されている。
【００２３】
コンデンサ(1)において、第１ヘッダタンク(3)、第３ヘッダタンク(5)の上側区画(5a)および第１熱交換パス(P1)により冷媒を凝縮させる凝縮部(1A)が形成され、第２ヘッダタンク(4)における第１ヘッダタンク(3)の下端よりも下方に突出した部分、第３ヘッダタンク(5)の下側区画(5b)および第２熱交換パス(P2)により冷媒を過冷却する過冷却部(1B)が形成され、第１熱交換パス(P1)が冷媒を凝縮させる冷媒凝縮パスとなっているとともに、第２熱交換パス(P2)が冷媒を過冷却する冷媒過冷却パスとなっている。
【００２４】
そして、第３ヘッダタンク(5)の上側区画(5a)の全体に、凝縮部(1A)の第１熱交換パス(P1)の冷媒流れ方向上流側端部が通じる凝縮部入口ヘッダ部(12)が設けられ、第１ヘッダタンク(3)の全体に、凝縮部(1A)の第１熱交換パス(P1)の冷媒流れ方向下流側端部が通じる凝縮部出口ヘッダ部(13)が設けられ、第２ヘッダタンク(4)における第１ヘッダタンク(3)の下端よりも下方に位置する部分に、過冷却部(1B)の第２熱交換パス(P2)の冷媒流れ方向上流側端部が通じる過冷却部入口ヘッダ部(14)が設けられ、第３ヘッダタンク(5)の下側区画(5b)の全体に、過冷却部(1B)の第２熱交換パス(P2)の冷媒流れ方向下流側端部が通じる過冷却部出口ヘッダ部(15)が設けられている。
【００２５】
第１ヘッダタンク(3)、第２ヘッダタンク(4)および第３ヘッダタンク(5)は、それぞれ上下両端が開口したアルミニウム製筒状体(16)(17)(18)と、筒状体(16)(17)(18)の上下両端開口を閉鎖する閉鎖部材(19)(21)(22)(23)(24)とからなる。第１ヘッダタンク(3)の上端閉鎖部材(19)、第２ヘッダタンク(4)のいずれか一方の閉鎖部材(22)または(23)、および第３ヘッダタンク(5)の上下両端閉鎖部材(24)は、アルミニウムからなるキャップ状であって、筒状体(16)(17)(18)の端部に嵌め被せられて筒状体(16)(17)(18)にろう付されている。第２ヘッダタンク(4)のいずれか他方の閉鎖部材(23)または(22)はアルミニウムからなり、筒状体(17)に着脱自在に取り付けられている。
【００２６】
第１ヘッダタンク(3)の下端寄りの部分と、第２ヘッダタンク(4)における過冷却部入口ヘッダ部(14)よりも上側の部分との間にアルミニウム製スペーサ(25)が配置されるとともに両ヘッダタンク(3)(4)にろう付されている。
【００２７】
図２〜図４に示すように、スペーサ(25)は、第１ヘッダタンク(3)と第２ヘッダタンク(4)との間に位置しかつ両ヘッダタンク(3)(4)の筒状体(16)(17)の外周面にろう付された本体部分(26)と、本体部分(26)に連結部(27)を介して一体に設けられ、かつ第１ヘッダタンク(3)の筒状体(16)の下端開口内に嵌め入れられて当該下端開口を閉鎖する板状の閉鎖部材(21)とを備えている。
【００２８】
第１ヘッダタンク(3)の筒状体(16)における右側部分に、その下端から上方に向かってスペーサ(25)の連結部(27)を嵌め入れる切り欠き(28)が形成されており、閉鎖部材(21)が筒状体(16)の下端開口内に嵌め入れられるとともに連結部(27)が切り欠き(28)内に嵌め入れられた状態で、閉鎖部材(21)および連結部(27)が第１ヘッダタンク(3)の筒状体(16)にろう付されている。
【００２９】
スペーサ(25)の本体部分(26)は、第１ヘッダタンク(3)の筒状体(16)の外周面に面接触しかつ第１ヘッダタンク(3)の筒状体(16)にろう付された第１接合面(29)と、第２ヘッダタンク(4)の筒状体(17)の外周面に面接触しかつ第２ヘッダタンク(4)の筒状体(17)にろう付された第２接合面(31)とを有する。スペーサ(25)の本体部分(26)に、第１接合面(29)と第２接合面(31)との間を通じさせる連通路(32)が貫通状に形成されている。第１ヘッダタンク(3)の筒状体(16)におけるスペーサ(25)の本体部分(26)の第１接合面(29)がろう付された部分に、第１ヘッダタンク(3)内を外部に通じさせる連通口(33)が形成され、第２ヘッダタンク(4)の筒状体(17)におけるスペーサ(25)の本体部分(26)の第２接合面(31)がろう付された部分に、第２ヘッダタンク(4)内を外部に通じさせる連通口(34)が形成されており、スペーサ(25)の本体部分(26)の連通路(32)の一端開口が第１ヘッダタンク(3)の筒状体(16)の連通口(33)に通じるとともに、同他端開口が第２ヘッダタンク(4)の筒状体(17)の連通口(34)に通じている。したがって、第１ヘッダタンク(3)の凝縮部出口ヘッダ部(13)内と、第２ヘッダタンク(4)内における過冷却部入口ヘッダ部(14)よりも上方の部分とが、スペーサ(25)を介して通じさせられている。
【００３０】
なお、図示は省略したが、第２ヘッダタンク(4)内には、通気性および通液性を有する材料からなる袋状の乾燥剤収納容器や、フィルタなどが配置されている。
【００３１】
コンデンサ(1)は、圧縮機、膨張弁（減圧器）およびエバポレータとともに冷凍サイクルを構成し、カーエアコンとして車両に搭載される。
【００３２】
上述した構成のコンデンサ(1)を備えたカーエアコンにおいて、圧縮機により圧縮された高温高圧の気相冷媒が、冷媒入口部材(9)および冷媒入口を通って第３ヘッダタンク(5)の凝縮部入口ヘッダ部(12)内に流入し、第１熱交換パス(P1)の熱交換管(3)内を右方に流れて第１ヘッダタンク(3)の凝縮部出口ヘッダ部(13)内に流入する。
【００３３】
第１ヘッダタンク(3)の凝縮部出口ヘッダ部(13)内に流入した冷媒は、筒状体(16)の連通口(33)、スペーサ(25)の連通路(32)および筒状体(17)の連通口(34)を通って第２ヘッダタンク(4)内に流入する。
【００３４】
第２ヘッダタンク(4)内に流入した冷媒は気液混相冷媒であり、当該気液混相冷媒のうち液相主体冷媒は重力により第２ヘッダタンク(4)の下部、すなわち過冷却部入口ヘッダ部(14)に溜まる。過冷却部入口ヘッダ部(14)内に溜まった冷媒は、第２熱交換パス(P2)の熱交換管(2)内に入り、熱交換管(2)内を左方に流れる間に過冷却された後、第３ヘッダタンク(5)の過冷却部出口ヘッダ部(15)内に入り、冷媒出口および冷媒出口部材(11)を通って流出し、膨張弁を経てエバポレータに送られる。
【００３５】
図１に示すコンデンサ(1)において、凝縮部(1A)に、上下に連続して並んだ複数の熱交換管(2)からなる複数の熱交換パスが上下に並んで設けられたり、過冷却部(1B)に、上下に連続して並んだ複数の熱交換管(2)からなる複数の熱交換パスが設けられることもある。凝縮部(1A)に複数の熱交換パスが上下に並んで設けられる場合、上端の熱交換パスから下端の熱交換パスに向かって冷媒が順次流れるように、第１ヘッダタンク(3)内および第３ヘッダタンク(5)内は、適当な高さ位置に設けられた仕切部材により複数の区画に分割され、第１ヘッダタンク(3)の下端の区画が凝縮部出口ヘッダ部(13)となる。また、過冷却部(1B)に複数の熱交換パスが上下に並んで設けられる場合、上端の熱交換パスから下端の熱交換パスに向かって冷媒が順次流れるように、第２ヘッダタンク(4)の第１ヘッダタンク(3)下端よりも下方の部分内、および第３ヘッダタンク(5)の下側区画(5b)内は、適当な高さ位置に設けられた仕切部材により複数の区画に分割され、第２ヘッダタンク(4)の第１ヘッダタンク(3)下端よりも下方の部分における上端の区画が過冷却部入口ヘッダ部となる。
【産業上の利用可能性】
【００３６】
この発明によるコンデンサは、自動車に搭載されるカーエアコンに好適に用いられる。
【符号の説明】
【００３７】
(1)：コンデンサ
(1A)：凝縮部
(1B)：過冷却部
(2)：熱交換管
(3)：第１ヘッダタンク
(4)：第２ヘッダタンク
(5)：第３ヘッダタンク
(6)：コルゲートフィン
(13)：凝縮部出口ヘッダ部
(14)：過冷却部入口ヘッダ部
(16)(17)：筒状体
(19)(21)(22)(23)：閉鎖部材
(25)：スペーサ
(26)：本体部分
(27)：連結部
(28)：切り欠き
(29)：第１接合面
(31)：第２接合面
(32)：連通路
(33)(34)：連通口
【図１】
0006322529.tif 000002
【図２】
0006322529.tif 000003
【図３】
0006322529.tif 000004
【図４】
0006322529.tif 000005